(57)【要約】【課題】カーテンレール以外の所望の場所に容易に引掛けることができ、ハンガーに掛けた洋服等を吊下げても結露で濡れることがないハンガー吊下げ具を提供する。【解決手段】ハンガー吊下げ具１は、上部アーム２と、上部アームに連結される下部アーム３とから構成され、複数のハンガー引掛け部７を備え、上部アーム２は、上端部に所定角度で屈曲されたフック部５を備え、下部アーム３は、下端部に該下部アームの長手方向と直交する支持部６を備える。ハンガー吊下げ具１は、上部アーム２の下端部と下部アーム３の上端部が所定角度で連結されＶ字状に形成され、上部アームと下部アームとの連結部に、ハンガー引掛け部としての貫通孔４ａが形成された円筒部４を備える。複数のハンガー引掛け部７，７は、下部アーム３に形成され、支持部６から所定距離Ｌ１以上離れて設けられる。【選択図】図１
2015146987.tif 000002
【特許請求の範囲】
【請求項１】
上部アームと、該上部アームに連結される下部アームとから構成され、複数のハンガー引掛け部を備えるハンガー吊下げ具であって、
前記上部アームは、上端部に所定角度で屈曲されたフック部を備え、前記下部アームは、下端部に該下部アームの長手方向と直交する支持部を備えることを特徴とするハンガー吊下げ具。
【請求項２】
前記ハンガー吊下げ具は、前記上部アームの下端部と前記下部アームの上端部が所定角度で連結されＶ字状に形成されることを特徴とする請求項１に記載のハンガー吊下げ具。
【請求項３】
前記複数のハンガー引掛け部は、前記下部アームに形成され、前記支持部から所定距離以上離れた位置に設けられていることを特徴とする請求項１又は２に記載のハンガー吊下げ具。
【請求項４】
前記複数のハンガー引掛け部は、貫通孔又は鉤フックであることを特徴とする請求項３に記載のハンガー吊下げ具。
【請求項５】
前記ハンガー吊下げ具は、前記上部アームと前記下部アームとの連結部に、前記ハンガー引掛け部としての貫通孔が形成された円筒部を備えることを特徴とする請求項１〜４のいずれかに記載のハンガー吊下げ具。
【請求項６】
前記支持部は、前記下部アームの下端部に一体的に形成された幅広の水平丸棒で構成されることを特徴とする請求項１〜５のいずれかに記載のハンガー吊下げ具。
【請求項７】
前記支持部は、前記下部アームの下端部に一体的に形成された幅広の断面半円形の横棒で形成され、円周面が外方を向くことを特徴とする請求項１〜５のいずれかに記載のハンガー吊下げ具。
【請求項８】
前記フック部は、前記上部アームに連続する平板部と、該平板部に連続する直角板部で構成され、前記直角板部は先細に形成されることを特徴とする請求項１〜７のいずれかに記載のハンガー吊下げ具。
【請求項９】
前記直角板部は、下方開口の引掛け孔が形成されていることを特徴とする請求項８に記載のハンガー吊下げ具。
【請求項１０】
前記平板部は、引掛け孔が形成されていることを特徴とする請求項８又は９に記載のハンガー吊下げ具。
【請求項１１】
請求項４又は５に記載のハンガー吊下げ具を複数個平行状態に配置し、前記貫通孔に軸体を嵌合させて連結したことを特徴とするハンガー吊下げ装置。
【発明の詳細な説明】
【技術分野】
【０００１】
本発明は、洋服等を吊下げ保持するハンガーを吊下げるハンガー吊下げ具に係り、特に、カーテンレールや鴨居等に容易に固定できるハンガー吊下げ具と、これを用いたハンガー吊下げ装置に関する。
【背景技術】
【０００２】
従来、洋服等を吊下げ保持するハンガーを室内に吊下げる場合、窓の上部に固定されたカーテンレールにハンガーを吊下げている。また、従来のこの種のハンガー吊下げ具として、屋内干し壁の突起ハンガーは、吊下げアーム１と、これを支える支持板２で構成し、それぞれの先端部を９０度未満で開閉する支点５で結合して一体となし、吊下げアーム１の上部は壁などに固着する引掛金具３に吊り下げるため吊下孔４を設け、支持板２は先端部にハンガー吊受６を装備している（例えば、特許文献１参照）。
【先行技術文献】
【特許文献】
【０００３】
【特許文献１】特開２００４−１２１８０４号公報
【発明の概要】
【発明が解決しようとする課題】
【０００４】
ところで、前記のように洋服等をハンガーに掛けてカーテンレールに吊下げる場合、冬場では室内外の温度差により窓ガラスに結露が発生し、吊下げた洋服等が結露で濡れてしまうという問題点があった。また、前記構造の屋内干し壁の突起ハンガーは、壁等の壁面に固定したヒートン等の引掛金具に吊下げるため、壁などに引掛金具を打ち付ける必要があり、壁やカーテンレール等の所望の場所に自由に引掛けることができず、構成も複雑であった。さらに、洋品店等で洋服等をハンガーに吊るして陳列する際、多数のハンガーを効率よく吊るして見栄えを向上させることができなかった。
【０００５】
本発明は、このような問題に鑑みてなされたものであって、その目的とするところは、カーテンレール等の所望の場所に容易に引掛けることができ、窓の上部に固定されたカーテンレールにハンガーを引掛けて洋服等を吊下げても結露で濡れることがないハンガー吊下げ具を提供することにある。また、構成が簡単であり、引掛け状態が安定するハンガー吊下げ具を提供すると共に、多数のハンガーを効率よく整然と吊下げることができるハンガー吊下げ装置を提供することにある。
【課題を解決するための手段】
【０００６】
前記目的を達成すべく、本発明に係るハンガー吊下げ具は、上部アームと、該上部アームに連結される下部アームとから構成され、複数のハンガー引掛け部を備え、前記上部アームは、上端部に所定角度で屈曲されたフック部を備え、前記下部アームは、下端部に該下部アームの長手方向と直交する支持部を備えることを特徴としている。
【０００７】
前記のごとく構成された本発明のハンガー吊下げ具は、上部アームの上端の所定角度で屈曲されたフック部を例えばカーテンレールに引掛けて固定され、下部アームはその長手方向と直交する支持部で対向する面、例えばガラス面に当接するため固定状態が安定する。また、ハンガー吊下げ具はカーテンレール以外の桟や、ドアの縁、壁面、天井面等の所望の箇所にフック部を引掛けることで容易に固定することができる。さらに、構成が簡単で、製造が容易であり、ハンガー吊下げ具のコストを低減することができる。
【０００８】
また、本発明に係るハンガー吊下げ具の好ましい具体的な態様としては、前記ハンガー吊下げ具は、前記上部アームの下端部と前記下部アームの上端部が所定角度で連結されＶ字状に形成されることを特徴としている。この構成によれば、上部アームと下部アームは所定角度で連結されてＶ字状に形成されるため、ハンガー吊下げ具の本体部を一体化して構成を簡単にすることができる。
【０００９】
さらに、本発明に係るハンガー吊下げ具の好ましい具体的な他の態様としては、ハンガー吊下げ具の前記複数のハンガー引掛け部は、前記下部アームに形成され、前記支持部から所定距離以上離れた位置に設けられることを特徴とする。この構成によれば、下部アームの複数のハンガー引掛け部に洋服等を吊下げたとき、洋服等は下部アームの下端部の支持部から所定距離以上離れた位置に吊下げられるため、ガラス面等に付着した結露で濡れることがない。特に、ハンガー引掛け部としては貫通孔が好ましく、円形孔が好ましい。また、ハンガー吊下げ具の下部アームに貫通した孔を形成することで複数のハンガー引掛け部を容易に形成することができる。さらに、ハンガー引掛け部は鉤フックであると好ましく、ハンガーを容易に吊下げることができる。
【００１０】
好ましい他の態様としては、前記ハンガー吊下げ具は、前記上部アームと前記下部アームとの連結部に、前記ハンガー引掛け部としての貫通孔が形成された円筒部を備えることを特徴としている。この構成によれば、上部アームと下部アームとの連結部が円筒部で補強され、ハンガー吊下げ具の強度を向上させると共に、貫通孔をハンガー引掛け部として利用できる。
【００１１】
また、ハンガー吊下げ具の前記支持部は、前記下部アームの下端部に一体的に形成された幅広の水平丸棒で構成されることが好ましい。この構成によれば、ハンガー吊下げ具を壁面等に固定したときの傾斜角度が変わっても、下部アームの下端に備えられた幅広の水平丸棒は壁面等に均一に接触させることができ、固定状態が安定する。さらに、前記支持部は、前記下部アームの下端部に一体的に形成された幅広の断面半円形の横棒で構成され、円周面が外方を向くことが好ましく、これにより壁面等の対向する面に均一に接触させることができる。
【００１２】
前記ハンガー吊下げ具のフック部は、前記上部アームに連続する平板部と、該平板部に連続する直角板部で構成され、前記直角板部は先細に形成されることが好ましい。この構成によれば、例えばカーテンレールにハンガー吊下げ具を吊下げる場合、フック部が平板部と直角板部で構成されるためカーテンレールに安定して吊下げることができ、桟に形成された水平方向の溝にハンガー吊下げ具を固定する場合に、先細のフック部を桟に形成された溝に容易に挿入でき、ハンガー吊下げ具の固定が容易に、確実に行える。
【００１３】
さらに、ハンガー吊下げ具のフック部を構成する直角板部は、下方開口の引掛け孔が形成されていることが好ましい。この構成によれば、下方開口の引掛け孔に、壁面等にねじ込まれた止めねじ等の掛け具を引掛けることで、ハンガー吊下げ具を壁面に容易に固定することができ、水平方向の移動が阻止されるためハンガー吊下げ具の固定状態が安定する。また、ハンガー吊下げ具のフック部を構成する平板部は、引掛け孔が形成されていることが好ましい。この構成によれば、ドアや板材の上部にフック部を引掛けて固定する場合に、ドアや板材の上面に接触する平板部の引掛け孔に釘等を通して打ち込むことで水平方向の移動を阻止できるため、ハンガー吊下げ具の固定状態を安定させることができる。
【００１４】
本発明に係るハンガー吊下げ装置は、前記したハンガー吊下げ具を複数個平行状態に配置し、前記貫通孔に軸体を嵌合させて連結したことを特徴としている。このように構成されたハンガー吊下げ装置は、複数のハンガー吊下げ具の貫通孔間に嵌合された軸体に多数のハンガーを並べて吊下げることができ、洋品店等でハンガーに吊下げられた洋服等を効率よく陳列することができる。また、軸体を複数平行に固定することで棚としても使用でき、棚上にも並べて陳列することができる。
【発明の効果】
【００１５】
本発明のハンガー吊下げ具は、カーテンレール、ドア、壁面等の所望の箇所に容易に固定することができる。また、ハンガーに洋服等を掛けたとき洋服等が結露で濡れることを防止することができる。さらに、構成が簡単で、製造が容易であり、コストダウンを達成することができる。本発明のハンガー吊下げ装置はハンガー吊りされた洋服等を多数並べて陳列することができる。
【図面の簡単な説明】
【００１６】
【図１】本発明に係るハンガー吊下げ具の一実施形態の正面図。
【図２】図１の平面図。
【図３】（ａ）は図１の右側面図、（ｂ）は図１のＡ−Ａ線断面図。
【図４】図１の斜視図。
【図５】図１〜４に示すハンガー吊下げ具をカーテンレールに引掛け固定した状態を示し、（ａ）は正面図、（ｂ）は要部側面図、（ｃ）は要部平面図、（ｄ）はハンガー吊下げ具にかかる圧力の説明図、（ｅ）はその要部平面図。
【図６】本発明に係るハンガー吊下げ具を壁面に固定した桟に引掛け固定した状態を示し、（ａ）は正面図、（ｂ）は要部側面図、（ｃ）はハンガー吊下げ具にかかる圧力の説明図、（ｄ）はその要部平面図。
【図７】本発明に係るハンガー吊下げ具をドアに引掛けた状態の正面図。
【図８】本発明に係るハンガー吊下げ具を和室の長押に引掛けた状態の正面図。
【図９】本発明に係るハンガー吊下げ具を天井面に固定したパイプに固定した状態の正面図。
【図１０】本発明に係るハンガー吊下げ具を壁面に固定したビス等の掛け具に固定した状態の正面図。
【図１１】本発明に係るハンガー吊下げ具を段差面のある壁面に固定した桟に固定した状態の正面図。
【図１２】本発明に係るハンガー吊下げ具を２つ並べて固定し、それらをパイプで連結しハンガー吊下げ装置を構成し、ハンガーを吊下げた状態の斜視図。
【図１３】本発明に係るハンガー吊下げ具を２つ並べて固定し、それらを複数のパイプで連結しハンガー吊下げ装置を構成し、棚を形成すると共にハンガーを吊下げた状態の斜視図。
【図１４】（ａ）、（ｂ）は、それぞれ本発明に係るハンガー吊下げ具の他の実施形態の正面図。
【図１５】（ａ）、（ｂ）、（ｃ）、（ｄ）は、それぞれ本発明に係るハンガー吊下げ具のさらに他の実施形態の正面図。
【図１６】（ａ）は本発明に係るハンガー吊下げ具のさらに他の実施形態の斜視図。（ｂ）はその変形例を示す要部斜視図。
【図１７】（ａ）は図１６に示すハンガー吊下げ具の使用形態を示す斜視図、（ｂ）は（ａ）で使用するハンガーパイプの変形例の要部斜視図、（ｃ）は壁面の掛け具に引掛け固定する場合の壁面の要部斜視図。
【発明を実施するための形態】
【００１７】
以下、本発明に係るハンガー吊下げ具の一実施形態を図面に基づき詳細に説明する。図１は、本実施形態に係るハンガー吊下げ具の正面図、図２は、図１の平面図、図３（ａ）は、図１の右側面図、図３（ｂ）はハンガーを吊下げた状態の図１のＡ−Ａ線断面図、図４はハンガー吊下げ具の斜視図である。
【００１８】
図１〜４において、本実施形態に係るハンガー吊下げ具１は、上部アーム２と、この上部アーム２に連結される下部アーム３とから構成される。ハンガー吊下げ具１は上部アーム２の下端部と下部アーム３の上端部が４５〜６０度程度の所定角度θで連結され、Ｖ字状に形成される。なお、上部アーム２と下部アーム３の連結角度は３０〜８０度程度が好ましい。
【００１９】
上部アーム２及び下部アーム３は、図３（ｂ）の断面図に示されるように、上部水平部（フランジ）と中央鉛直部（ウェブ）と下部水平部（フランジ）を有する断面Ｉ字状に形成されている。下部アーム３の上部水平部及び下部水平部は幅Ｗ１が２０〜２５ｍｍ程度、厚さが３〜４ｍｍ程度に形成され、中央鉛直部は厚さが３〜４ｍｍ程度、高さＨ１が２５〜３０ｍｍ程度に形成されている。上部アーム２の上部水平部及び下部水平部は下部アーム３と同様の幅Ｗ１に設定され、中央鉛直部の高さは上方に向けて徐々に小さくなるように構成されている。
【００２０】
上部アーム２と下部アーム３との連結部、すなわちＶ字状に連結された外側部分には厚肉の円筒部４が形成されている。この円筒部４にはハンガー引掛け部として水平方向の貫通孔４ａが形成され、水平方向の幅Ｗ２は上部アーム２及び下部アーム３の水平方向幅Ｗ１より大きく、３０〜３５ｍｍ程度に形成されている。円筒部４の外径は４０〜５０ｍｍ程度、貫通孔４ａの内径は２０〜３０ｍｍ程度で円筒部の肉厚は１０ｍｍ程度と厚く形成され、Ｖ字状の連結部は円筒部４により補強された形状となっており、Ｖ字を開く方向の力、縮める方向の力が作用しても変形や破壊が防止される。
【００２１】
上部アーム２の上端部にはフック部５が備えられ、フック部５は上部アーム２に連続する平板部５ａと、この平板部５ａから直角方向に屈曲された直角板部５ｂとから構成される。平板部５ａは直角板部５ｂの方向に向けて徐々に幅広に形成され、フック部５の先端の幅は４０〜５０ｍｍ程度に形成されている。平板部５ａには長円形の固定孔５ｃが貫通状態に形成されている。フック部５の直角板部５ｂは先端が下方に向かって尖った先細に形成され、３〜４ｍｍ程度の肉厚が１ｍｍ程度に細められ、その下端には逆Ｕ字状に下方に開口する引掛け孔５ｄが形成されている。
【００２２】
下部アーム３は下方端部に向けて縦幅が狭くなるように形成され、先端には支持部として水平状の幅広の丸棒６が一体的に形成されている。この丸棒６は下部アーム３の長手方向と直交する方向に延在するもので、直径が１５〜２０ｍｍ程度で、長さＷ３は８０〜１１０ｍｍ程度に形成されている。支持部としての丸棒６は、このハンガー吊り具１を上部アーム２のフック部５を用いて壁面等に吊下げ固定したとき、下部アーム３の先端の丸棒６が壁面等に当接してハンガー吊下げ具１を支持し、その設置状態を安定させるものである。ハンガー吊下げ具１の全長Ｌは２００〜２６０ｍｍ程度に設定され、全高Ｈは１６０〜２００ｍｍ程度に設定されている。
【００２３】
下部アーム３には、上部アーム２との連結側の円筒部４と先端側の丸棒６との間に、ハンガー引掛け部として複数の円形の引掛け孔７，７が貫通して形成されている。この引掛け孔７，７は下部アーム３の先端の丸棒６から所定距離Ｌ１以上離れた位置に備えられ、洋服等を吊下げるハンガー８の上部フック部８ａを引掛けることができるものであり、直径が１５〜２０ｍｍ程度の円形に形成されている。したがって、このハンガー吊下げ具１は円筒部４の貫通孔４ａと、２つの引掛け孔７，７により３つのハンガー８を吊るすことができる構成となっており、引掛け孔７，７及び貫通孔４ａは下部アーム３の先端の丸棒６から距離Ｌ１以上離れた位置に設けられている。
【００２４】
前記のように構成されたハンガー吊下げ具１は、本体部分が上部アーム２と下部アーム３とでＶ字状に形成され、Ｖ字の連結部に厚肉の円筒部４が形成されると共に貫通孔４ａが形成され、上部アーム２の先端にフック部５が形成され、下部アーム３の先端に支持部として幅広の丸棒６が水平に形成され、下部アーム３に引掛け孔７，７が形成され、可動部がなく構成が簡単で射出成型により合成樹脂で一体的に形成することができる。このため、製造コストを低減することができるものである。
【００２５】
前記の如く構成された本実施形態のハンガー吊下げ具１の使用形態について、図５を参照して以下に説明する。図５は本実施形態に係るハンガー吊下げ具１をカーテンレール１０に引掛け固定する例を示しており、図５（ａ）は正面図、図５（ｂ）は要部側面図、図５（ｃ）は要部平面図、図５（ｄ）はハンガー吊下げ具を吊下げた状態の圧力を示す説明図、図５（ｅ）は圧力の分散を説明する要部平面図である。なお各図において、ハンガーは分かりやすいように旋回させた状態で示しており、実際には図３（ｂ）のように壁面やガラス面に平行に吊下げられる。
【００２６】
図５において、カーテンレール１０は窓枠１１の上部に水平に固定されている。窓枠１１にはアルミサッシを介してガラス枠１２が引き違いに嵌め込まれている。なお、カーテンレール１０は１列が固定されたシングルタイプに限られるものでなく、２列が平行に固定されたダブルタイプのものでもよい。カーテンレール１０にハンガー吊下げ具１を引掛け固定するときは、上部アーム２の上端のフック部５の直角板部５ｂを水平なカーテンレール１０に引掛け、下部アーム３の先端の支持部である幅広の丸棒６をガラス枠１２に当接させる。
【００２７】
フック部５は平板部５ａと直角板部５ｂで構成されるため、カーテンレール１０に沿って平板部５ａと直角板部５ｂが接触し確実に係合できる。また、丸棒６は水平方向に延在するため、ガラス枠１２のガラス面１２ａに直線で接触し、上部アーム２及び下部アーム３が図５（ｃ）の矢印Ｂ方向に水平方向に振れることが防止され、安定的に固定される。図５の例では、ハンガー吊下げ具１は下部アーム３が略水平状態になるように固定される。このように、ハンガー吊下げ具１はカーテンレール１０に容易に固定することができる。また、ハンガー吊下げ具１は上部がフック部５で支持され、下部が丸棒６で幅広く当接するため、固定状態が安定する。さらに、フック部５は先端側が幅広に形成され、カーテンレール１０と長い距離で接触するため係合が安定する。
【００２８】
このように、カーテンレール１０に引掛け固定されたハンガー吊下げ具１に洋服等を吊下げたハンガー８を吊下げるときは、ハンガー８の引掛け用のフック部８ａを例えば円筒部４の貫通孔４ａに通すと、貫通孔４ａから垂直方向に重力Ｆ１が作用する。この重力Ｆ１は図５（ｄ）のように、上部アーム２方向の分力Ｆ２と下部アーム３方向の分力Ｆ３に分けられ、分力Ｆ２は上部アーム２に引張り力として作用し、分力Ｆ３は下部アーム３に圧縮力として作用する。
【００２９】
そして、分力Ｆ３は支持部としての幅広の丸棒６でガラス枠１２のガラス面１２ａを押圧するが、分力Ｆ３は図５（ｅ）に示すように分散され、丸棒６の水平方向に沿う幅広の直線に沿って単位面積当たりの小さな圧力ｆ３としてガラス面を押圧する。このため、ハンガー吊り具１は水平方向に振れることなく安定し、ガラス面１２ａに対するスポット的な押圧を防ぐことができる。他の引掛け孔７，７にハンガー８を吊下げたときも、鉛直方向に作用するハンガーの重力が加算され、上部アーム２に引張り力として作用すると共に、下部アーム３に圧縮力として作用し、ガラス面への押圧は分散されて安定的に吊下げ固定される。また、フック部５とカーテンレール１０との摩擦力、及び丸棒６とガラス面１２ａとの摩擦力でハンガー吊下げ具１とハンガー８との重力Ｆ１を安定した状態で支持する。さらに、ハンガー吊下げ具１では、ハンガー８はガラス枠１２から離れて吊下げることができ、図５（ａ）に示すようにオフセット量Ｃが得られて吊下げることができ、ガラス面に結露が生じていても洋服等の結露による水滴の付着が防止できる。
【００３０】
つぎに、このハンガー吊下げ具１を壁面に固定された桟に吊下げ固定する場合について、図６を参照して説明する。壁面１５は合板、石膏ボード等で形成され、水平状態に横桟１６が固定されている。横桟１６は木材等で形成され、上部に開口する横溝１７が形成され、釘や木ねじ等で壁面１５に固定されている。ハンガー吊下げ具１は上端のフック部５の先端が横桟１６の横溝１７内に挿入され、壁面１５に吊下げ固定される。ハンガー吊下げ具１は横桟１６の横溝１７内にフック部５を挿入するだけで容易に壁面に固定することができる。また、フック部５の先端は先細に形成されているため、横桟１６の横溝１７内への挿入が容易である。
【００３１】
このように壁面１５に横桟１６を介して固定されたハンガー吊下げ具１の円筒部４の貫通孔４ａに例えばハンガー８を吊下げるとともに、壁面側の引掛け孔７にハンガー８を吊下げる。このとき、貫通孔４ａに吊下げたハンガーと洋服等の重力をＦ１とすると、重力Ｆ１は上部アーム２方向の分力Ｆ２と、下部アーム３方向の分力Ｆ３に分けられ、Ｆ２は引張り力として作用し、Ｆ３は圧縮力として作用する。また、引掛け孔７に吊下げたハンガーと洋服等の重力をＦ５とすると、重力Ｆ５は上部アーム２方向の分力Ｆ６と、下部アーム３方向の分力Ｆ７に分けられ、Ｆ６は引張り力として作用し、Ｆ７は圧縮力として作用する。そして、丸棒６の壁面１５の表面１５ａへの押圧力はＦ３＋Ｆ７となり、丸棒６は水平方向に幅広のためｆ３＋ｆ７に分散される（図６ｄ参照）。この例でも、フック部５と横桟１６との摩擦力と、丸棒６と壁面１５との摩擦力が作用し、ハンガー吊下げ具１の自重、及びハンガー８，８の重力Ｆ１，Ｆ５を安定して支持することができる。このように、ハンガー吊下げ具１は上部がフック部５で横桟１６に支持され、下部が丸棒６で壁面１５に幅広く当接するため、固定状態が安定する。
【００３２】
この例においても、ハンガー８を壁面１５の横桟１６に直接吊下げる場合と比較して、ハンガー吊下げ具１を用いて吊下げると、ハンガー８に掛けられた洋服等は壁面１５の表面１５ａから所定の距離だけオフセットされるため、気象条件等により壁面１５に結露が発生した場合でも、掛けられた洋服等に水滴が付くのを防止できる。また、洋服等の汚れを壁面１５ａに付着させることがなく、壁面の汚れが洋服に付着することもない。
【００３３】
本実施形態のハンガー吊下げ具１はドアの上部に引掛けて洋服等を掛けたハンガーを吊下げることができる。図７はドアの上部にハンガー吊下げ具を引掛けた状態の正面図である。図７において、壁２０にはドア枠２１が固定され、ドア枠２１にはドア２２が開閉可能に支持されている。ハンガー吊下げ具１は上部アーム２の上端のフック部５をドア２２の上部に引掛けることで、ドア２２に固定することができる。フック部５をドア上部に引掛けると、下部アーム３の先端の支持部としての幅広の丸棒６はドア２２の表面に当接する。この固定状態は下部アーム３が傾斜した状態となる。
【００３４】
ハンガー吊下げ具１の例えば右方の引掛け孔７にハンガー８を吊下げると、前記したようにハンガー８と洋服等の重力は上部アーム２方向と下部アーム３方向に分けられ、上部アーム２には引張り力として作用し、下部ア−ム３には圧縮力として作用する。そして、圧縮力として作用する分力は下部アーム３の先端の支持部である幅広の丸棒６により単位面積当たりの小さい押圧力としてドア面を押圧する。このため、ドア２２面に傷付けることがなく、ハンガー吊下げ具１を安定した状態で固定することができる。
【００３５】
図７の例においても、ハンガー８をドア２２の上部に直接吊下げる場合と比較して、ハンガー吊下げ具１を用いて吊下げると、ハンガー８に掛けられた洋服等はドア２２の表面から所定の距離だけオフセットされるため、ドアの表面に直接触れることがなくドア表面を傷付けることがない。また、気象条件等によりドア２２に結露が発生した場合でも、掛けられた洋服等に水滴が付くのを防止できる。
【００３６】
つぎに図８を用いて本実施形態に係るハンガー吊下げ具１を和室の鴨居に固定した長押に引掛ける例について説明する。図８は、その正面図である。図８において、和室の柱２５の間に鴨居２６が固定され、鴨居の上下は壁２７が塗り込まれている。そして、長押２８が鴨居２６に沿って固定されている。長押２８は下端角部が切りかかれて鴨居２６の角部に接合し、隠し釘等で固定される。長押２８の壁２７側の上部は傾斜面で形成され、壁２７との間隙は上方に向けて広がるように形成されている。
【００３７】
ハンガー吊下げ具１は上部アーム２の上端のフック部５を長押２８と壁２７との間隙に挿入して引掛けられ、下部アーム３の下端の幅広の丸棒６は壁２７面に接触して固定される。このようにハンガー吊下げ具１は、和室の鴨居２６に固定された長押２８にもワンタッチで容易に固定することができ、フック部５は先端が先細で長押２８の裏の間隙に挿入しやすい。このように固定されたハンガー吊下げ具１には、Ｖ字状に屈曲された部位の円筒部４の貫通孔４ａ、下部アーム３の複数の引掛け孔７，７にハンガー８を吊下げて洋服等を掛けることができる。図８では貫通孔４ａにハンガー８を引掛けた例を示している。
【００３８】
図８の例においても、ハンガー８を和室壁２７の間の長押２８に直接吊下げる場合と比較して、ハンガー吊下げ具１を用いて吊下げると、ハンガー８に掛けられた洋服等は和室壁２７の表面から所定の距離だけオフセットされるため、壁２７の表面に直接触れることがなく壁表面を傷付けることがない。また、壁２７の表面にほこり等が付着している場合でも、掛けられた洋服等にほこりが付くのを防止できる。さらに壁２７が砂壁であっても、下部アーム３の下端の幅広の丸棒６が広い幅で壁面に接触するため、砂壁の剥離を防止することができる。
【００３９】
本実施形態に係るハンガー吊下げ具１は天井面に固定することができる。図９はハンガー吊下げ具を天井面に吊下げ固定する例を示す正面図である。図９において、鉛直な壁面３０と水平な天井面３１で部屋の一部が構成され、天井面３１には固定金具３２で支持パイプ３３が天井面から離れた状態で平行に設置されている。固定金具３２及び支持パイプ３３は吊下げるものの重量に合わせて所定の強度を有するものが使用される。なお、固定金具を壁面３０側に固定し、天井面３１から離れた状態で支持パイプ３３を平行に固定するように構成してもよい。
【００４０】
ハンガー吊下げ具１は、上部アーム２の上端のフック部５を支持パイプ３３に引掛けて固定され、下部アーム３の下端の幅広の丸棒６は壁面３０に当接する。ハンガー吊下げ具１の下部アーム３の引掛け孔７，７、円筒部４の貫通孔４ａに洋服等を掛けるハンガー８を吊るすことができる。なお、支持パイプ３３を長尺のものとし、多数のハンガー吊下げ具１を並べて吊下げるようにしてもよく、長尺の支持パイプの中間部に固定金具を用いて支持パイプの中間を支持してもよい。
【００４１】
ハンガー吊下げ具１は、前記のように天井面に設置固定された支持パイプ３３に容易に固定することができ、下部アーム３の下端の幅広の丸棒６が直線的に壁面３０に接触するため、上部アーム２及び下部アーム３が振れることなく安定して固定することができる。そして、下部アーム３の引掛け孔７，７、円筒部４の貫通孔４ａに洋服等を掛けたハンガー８を容易に吊下げることができる。図９では右側の引掛け孔７にハンガー８を引掛けた例を示している。また、吊下げられた洋服等は壁面３０から離れた状態でオフセットされるため、壁面３０への接触が防止される。
【００４２】
本実施形態に係るハンガー吊下げ具１は壁面に固定されたビス等の掛け具に引掛けて固定することができる。図１０はハンガー吊下げ具を壁面に固定された掛け具に吊下げ固定する例を示す正面図である。図１０において、壁面３０の上部にはビス等の掛け具３４がねじ止め固定されている。ハンガー吊下げ具１はフック部５に形成された下方開口の引掛け孔５ｄを掛け具３４に引掛けて係止することで壁面３０に固定することができる。なお、掛け具３４は丸頭のねじや皿ねじ等の形状のものを使用してもよい。
【００４３】
このように壁面３０に固定された掛け具３４に引掛け固定されたハンガー吊下げ具１は、下部アーム３の下端の幅広の丸棒６が壁面３０に幅広く接触するため、上部アーム２と下部アーム３とを備える本体が振れることなく固定状態が安定する。そして、ハンガー吊下げ具１の貫通孔４ａ及び引掛け孔７，７にハンガー８を吊下げることができる。図１０では、円筒部４の貫通孔４ａにハンガー８を１つ引掛けた状態を示している。
【００４４】
洋服等を掛けたハンガー８を貫通孔４ａに引掛けると、前記の例と同様に上部アーム２には引張り力が作用し、下部アーム３には圧縮力が作用し、幅広の丸棒６が壁面３０を押圧する。壁面３０を押圧する圧力は幅広の丸棒６で水平方向に分散され、単位面積当たりの圧力が小さくなり、ハンガー吊下げ具１は安定して固定される。他の引掛け孔７，７に重量物を引掛けた場合でも、壁面３０を押圧する力は分散されるため、壁面がスポット的な圧力で凹むことがない。
【００４５】
図１１は壁面に段差部がある場合にハンガー吊下げ具１を引掛け固定する例を示している。図１１はその正面図である。図１１において、壁面３０には天井面３１に接近して突出面３５が形成され、壁面３０が段差面となっている。突出面３５は例えば梁材を覆うためのカバー体であり、突出面３５には横桟３６がねじ等により固定されている。横桟３６には上方に開口する横溝が長手方向にわたって形成してある。
【００４６】
ハンガー吊下げ具１は上部アーム２の上端に備えられたフック部５の直角板部５ｂの先端が横桟３６の横溝内に挿入され、壁面３０の上部の突出面３５に吊下げ固定されている。ハンガー吊下げ具１は横桟３６の横溝内にフック部５を挿入するだけで容易に突出面３５に固定することができる。ハンガー吊下げ具１の円筒部４の貫通孔４ａにハンガー８を吊下げると、ハンガー８とハンガーに掛けられた洋服等の重力の分力は丸棒６を介して段差のある壁面３０を押圧し、丸棒６は幅広で直線的に壁面３０を押圧するため、押圧力は分散され固定状態も安定する。また、ハンガーに掛けられた洋服等は壁面３０から離れてオフセットさせるため壁面に接触せず壁面への汚れの付着や、洋服の汚れの壁面への付着を防止できる。
【００４７】
図１２，１３は本発明に係るハンガー吊下げ具１を複数用いたハンガー吊下げ装置の使用形態を示している。図１２では２個のハンガー吊下げ具１，１を所定の間隔で配置あるいは固定し、円筒部４の貫通孔４ａに長尺のパイプ４０を通し、嵌合させて連結している。ハンガー吊下げ具の固定については前記図５〜図１１に示す例を用いることができるが、他の固定方法でもよい。２個のハンガー吊下げ具１，１をパイプ４０で連結固定し、その後に例えば壁面に固定することもできる。図１２の例では、円筒部４，４間に架設されたパイプ４０に複数のハンガー８を吊下げることができ、例えば洋品店で複数の洋服をハンガーにより吊下げて陳列するような用途に適している。
【００４８】
図１２に示すハンガー吊下げ装置では、ハンガー吊下げ具１，１は、図示していないがフック部５，５を壁面等に固定し、円筒部４，４の貫通孔４ａ，４ａに通したパイプ４０に洋服等を掛けたハンガー８，８を吊下げると、下部アーム３，３の下端の丸棒６，６は壁面等を押圧し、固定状態が安定する。この例では、パイプ４０に多数のハンガーをパイプに沿わせて整然と吊下げて陳列することができると共に、下部アーム３，３の引掛け孔７，７にもハンガー８，８を引掛けて陳列することができる。
【００４９】
図１３に示すハンガー吊下げ装置では、図１２と同様に２個のハンガー吊下げ具１，１を所定の間隔で配置し、円筒部４，４の貫通孔４ａ，４ａに大径のパイプ４１を通し、下部アーム３，３の小径の引掛け孔７，７に細径のパイプ４２，４３を通して嵌合して固定している。このハンガー吊下げ装置では、パイプ４１及び細径のパイプ４２，４３を平行に固定することで棚として使用することができ、外側に位置するパイプ４１にはハンガー８を複数吊下げることができる。このため、洋服等をハンガー８に吊下げて整然と陳列することができると共に、洋服等の包装を棚としてのパイプ４２，４３上に載置することができ、効率良く商品を陳列することができる。
【００５０】
つぎに、本発明に係るハンガー吊下げ具の変形例について、図１４を参照して説明する。図１４（ａ）、（ｂ）はそれぞれハンガー吊下げ具の他の実施形態の正面図である。図１４（ａ）に示すハンガー吊下げ具１Ａは基本的には前記のハンガー吊下げ具１と同様の構成であり、異なる構成は、下部アーム３の下端に備えられた支持部としての幅広の丸棒６が、断面半円形のかまぼこ状の横棒６Ａで形成され、円周面が外方を向くように構成されていることを特徴とするものである。
【００５１】
横棒６Ａは断面がかまぼこ状で、先端側が円弧面で形成されており、前記した各種の固定形態で下部アームの先端が壁やドア面等に接触するとき、ハンガー吊下げ具１の傾斜角度が異なっても対向する面に線接触できるように構成されている。すなわち、図５〜図１１に示されるように、ハンガー吊下げ具１の下部アーム３が水平に近い状態から傾斜した状態でも、下部アーム３の先端が確実に対向する面に線接触できるように構成されている。このため、ハンガー吊下げ具１が振れることなく安定した固定が可能となる。
【００５２】
図１４（ｂ）に示すハンガー吊下げ具１Ｂも基本的には前記のハンガー吊下げ具１と同様の構成であり、異なる構成は、下部アーム３の下端に備えられた支持部としての幅広の丸棒６が断面正方形の横棒６Ｂで形成され、その角度を変更できるように構成されていることを特徴とするものである。すなわち、四角柱状の横棒６Ｂは下部アーム３の方向に突設された取付部が下部アーム３に回動可能に軸支されている。このように構成されたハンガー吊下げ具１Ｂは、その固定状態において下部アーム３の角度が異なっても下部アーム３の下端に取り付けられた横棒は対向する壁面等に平面で接触することができ、固定状態が安定するものである。なお、前記の横棒６Ａの湾曲面、横棒６Ｂの壁面側の平面を滑り止めの機能を有する粗面とすると、固定状態をより安定させることができる。また、前記実施形態のハンガー吊下げ具１の丸棒６の表面も滑り止め面とするとハンガー吊下げ具の固定状態がより安定する。
【００５３】
つぎに、図１５を参照して本発明に係るハンガー吊下げ具のさらに他の実施形態について説明する。なお、前記した実施形態と同様の構成については同じ参照符号を付して説明を省略する。図１５（ａ）に示すハンガー吊下げ具１Ｃは、上部アーム２と下部アーム３とを備えるもので、上部アーム２の上端にフック部５が設けられている。ハンガー吊下げ具１Ｃは基本的にＶ字状に形成され、下部アーム３の下端に支持部としての丸棒６が備えられている。そして、特徴点として、下部アーム３に複数のハンガー引掛け部として３つの鉤フック７Ａが固定されている。この鉤フック７Ａは下部アーム３を貫通する軸を中心に旋回できると好ましい。
【００５４】
図１５（ｂ）に示すハンガー吊下げ具１Ｄも、基本的には上部アーム２と下部アーム３とを備えるもので、上部アーム２の上端にフック部５が設けられている。そして、上部アーム２は下方に延長されて支持アーム部２Ａが形成され、この支持アーム部２Ａに３つのハンガー引掛け孔７Ｂが形成されている。このハンガー吊下げ具１Ｄでは、引掛け孔７Ｂにハンガーを吊下げて洋服等を掛けると、前記の実施形態と同様に上部アーム２には引張り力が作用し、下部アーム３には圧縮力が作用して先端の丸棒６が壁面等を押圧する。このため、ハンガー吊下げ具１Ｄの固定状態が安定し、洋服等は丸棒６から離れて吊下げられる。そして、ハンガーをハンガー引掛け孔７Ｂに吊下げると、支持部の丸棒６から所定距離だけ離れて吊下げることができ、洋服が結露等で濡れることを防止できる。
【００５５】
図１５（ｃ）に示すハンガー吊下げ具１Ｅは、上部アーム２と下部アーム３とを備えるもので、上部アーム２の上端にフック部５が設けられ、上部アーム２と下部アーム３の連結部から水平方向に支持アーム２Ｂが延長している。そして、支持アーム２Ｂに３つのハンガー引掛け孔７Ｃが形成されている。このハンガー吊下げ具１Ｅでも、引掛け孔７Ｃにハンガーを吊下げて洋服等を掛けると、前記の実施形態と同様に上部アーム２には引張り力が作用し、下部アーム３には圧縮力が作用して先端の丸棒６が壁面等を押圧する。このため、ハンガー吊下げ具１Ｅの固定状態が安定し、洋服等は丸棒６から離れて吊下げられる。
【００５６】
図１５（ｄ）に示すハンガー吊下げ具１Ｆは、複数のハンガー引掛け部の形状の変形例を示すものであり、下部アーム３にはその長手方向に沿って貫通した長孔７Ｄが形成され、この長孔７Ｄは上辺が直線で両端部が円弧で形成され、下辺は鋸歯状に円弧と傾斜辺が連続して形成されている。この長孔７Ｄには円弧と傾斜辺で７つの窪みが形成され、最大７つのハンガーを並べて吊下げることができる。なお、前記の実施形態と実質的に同じ構成については同じ参照符号を付している。そして、図１５に示される４つの変形例の実施形態のハンガー吊下げ具１Ｃ，１Ｄ，１Ｅ、１Ｆも、前記した実施形態と同様の作用効果を得ることができるものである。
【００５７】
つぎに、本発明に係るハンガー吊下げ具のさらに他の実施形態について、図１６，１７を参照して説明する。図１６（ａ）はハンガー吊下げ具のさらに他の実施形態の斜視図、（ｂ）はその変形例を示す要部斜視図、図１７（ａ）はハンガー吊下げ具の使用形態を示す斜視図、（ｂ）はハンガーパイプの他の例を示す要部斜視図である。なお、この実施形態でも前記の実施形態と実質的に同じ構成については同じ参照符号を付している。
【００５８】
図１６，１７において、ハンガー吊下げ具１Ｇは基本的には図１〜１３に示すハンガー吊下げ具と同じ構成であり、下部アーム３の下端部に形成された長手方向と直交する支持部６の形状が異なるものである。具体的には支持部を構成する水平方向に長い丸棒６の中心部に鉛直方向上から見たとき円弧状の切り欠きで凹部６ａが形成されている。この凹部６ａは丸棒６の直径の３分の１程度の深さに形成されている。なお、丸棒６の凹部６ａは図１６（ｂ）に示すような段差部６ｂで形成してもよい。
【００５９】
このように構成されたハンガー吊下げ具１Ｇでは、図１７（ａ）に示すように例えば床上に設置されたハンガーパイプ４５に吊下げるときに好適である。ハンガーパイプ４５はベース４６からパイプ４７が直立して固定され、パイプ４７の上部には掛部４８，４８が突出して固定されている。ハンガー吊下げ具１Ｇのフック部５の引掛け孔５ｄを掛部４８に引掛けると、下部アーム３の先端の丸棒６の中心に形成された凹部６ａがパイプ４６の円周面に係合して安定する。すなわち、凹部６ａ内にパイプ４７の円周面が落ち込み、ハンガー吊下げ具の自重及びハンガー８の重力の分力が確実にパイプ４７を押圧するため、ハンガー吊下げ具１Ｇの左右の横ずれを防止し吊下げ設置状態が安定する。
【００６０】
なお、ハンガーパイプは図１７（ｂ）に示されるように、パイプ４７の上端に水平状の横パイプ４９が固着されたＴ状のハンガーパイプの場合も適用できる。横パイプ４９の端部の掛部にハンガー吊下げ具１Ｇを引掛けたときも、丸棒６の凹部６ａがパイプ４７に係合して同様に設置状態が安定するものである。このハンガー吊下げ具１Ｇの場合、例えば病院等で点滴バッグを吊下げるときなど吊下げ状態が安定するため好適であり、医療現場でも安定した設置が可能となる効果を期待できる。
【００６１】
また、図１７（ｃ）に示すように、壁面５０に固定された掛け具５１にハンガー吊下げ具１Ｇを引掛けて固定する場合、この掛け具５１の下方に突部５２を形成しておくと、ハンガー吊下げ具１Ｇのフック部５を掛け具５１に引掛けたとき、丸棒６の凹部６ａが突部５２に係合し掛け具５１を中心として振れることを防止できるため、設置状態が安定して好ましい。図示の例では突部５２は三角柱状をしているが、四角柱状や半円柱状等、適宜の形状のものを使用でき、要するに凹部６ａに嵌る形状であればどのような形状でもよい。
【００６２】
以上、本発明の実施形態について詳述したが、本発明は、前記の実施形態に限定されるものではなく、特許請求の範囲に記載された本発明の精神を逸脱しない範囲で、種々の設計変更を行うことができるものである。例えば、ハンガー吊下げ具は合成樹脂で一体的に成型する例を示したが、これに限られるものでなく、例えば金属で鋳造により形成してもよい。
【００６３】
また、ハンガー吊下げ具のフック部は、平板部とこれに連続する直角板部で構成する例について説明したが、直角に屈曲するばかりでなく、直角以上の角度や直角に近い角度でもよい。さらに、２つのハンガー吊下げ具を並べて固定しハンガー吊下げ装置とした例を示したが、３つ以上のハンガー吊下げ具を並べて固定するように構成してもよい。ハンガー引掛け部として円形の貫通孔の例を示したが、円形以外の他の形状でもよいことは勿論である。
【産業上の利用可能性】
【００６４】
本発明の活用例として、前記ハンガー吊下げ具を用いて洋服等を掛けるハンガーを吊下げるだけでなく、趣味のものやオブジェを吊下げることができ、また玄関等の壁面に固定することによって傘や他の備品を吊下げる用途にも適用できる。
【符号の説明】
【００６５】
１，１Ａ，１Ｂ，１Ｃ，１Ｄ，１Ｅ，１Ｇ：ハンガー吊下げ具、２：上部アーム、３：下部アーム、４：円筒部、４ａ：貫通孔（ハンガー引掛け部）、５：フック部、５ａ：平板部、５ｂ：直角板部、５ｃ：固定孔、５ｄ：引掛け孔、６：丸棒（支持部）、６Ａ，６Ｂ：横棒（支持部）、７，７Ｂ，７Ｃ，７Ｄ：引掛け孔（ハンガー引掛け部）、７Ａ：鉤フック（ハンガー引掛け部）、８：ハンガー、８ａ：フック部、１０：カーテンレール、１２：ガラス枠、１５：壁面、１６：横桟、１７：横溝、２２：ドア、２８：長押、３１：天井面、３３：支持パイプ、３４：掛け具、３５：段差面、３６：横桟、４０，４１，４２，４３：パイプ（軸体）、４５：ハンガーパイプ、４８：掛部、５１：掛け具
【図１】
2015146987.tif 000003
【図２】
2015146987.tif 000004
【図３】
2015146987.tif 000005
【図４】
2015146987.tif 000006
【図５】
2015146987.tif 000007
【図６】
2015146987.tif 000008
【図７】
2015146987.tif 000009
【図８】
2015146987.tif 000010
【図９】
2015146987.tif 000011
【図１０】
2015146987.tif 000012
【図１１】
2015146987.tif 000013
【図１２】
2015146987.tif 000014
【図１３】
2015146987.tif 000015
【図１４】
2015146987.tif 000016
【図１５】
2015146987.tif 000017
【図１６】
2015146987.tif 000018
【図１７】
2015146987.tif 000019